(57)【要約】【課題】軟質合成樹脂材などの他部材を取り付けることなく、接合強度を高められ、さらに床鳴りの発生を少なくできる床材を提供する。【解決手段】床材１は、すくなくとも１方向における一側端面に突条よりなる雄実１０を有し、他側端面に凹溝よりなる雌実２０を有しており、雄実１０の厚さ寸法が雌実２０の溝幅寸法よりも大とされ、かつ雄実１０の先端面１１から内側に向けて、床材１の底面に略平行なスリット１２が形成されている。【選択図】図１
2020084655.tif 000002
【特許請求の範囲】
【請求項１】
すくなくとも１方向における一側端面に突条よりなる雄実を有し、他側端面に凹溝よりなる雌実を有した床材において、
前記雄実の厚さ寸法が前記雌実の溝幅寸法よりも大とされ、かつ前記雄実の先端面から内側に向けて、床材底面に略平行なスリットが形成されていることを特徴とする床材。
【請求項２】
請求項１において、
前記スリットが複数形成されていることを特徴とする床材。
【請求項３】
請求項１または２において、
前記雄実の上面に凹所が設けられ、かつ前記雌実の上側突出条には該凹所に係合し得る形状とした下向き突出片が設けられていることを特徴とする床材。
【発明の詳細な説明】
【技術分野】
【０００１】
本発明は、すくなくとも１方向における一側端面に雄実を有し、他側端面に雌実を有した床材に関する。
【背景技術】
【０００２】
従来より、床下地上で隣接する床材間における雄実と雌実とによる実接合部の接合強度を向上させるために、種々の提案がなされている（例えば、特許文献１、２参照）。
【０００３】
特許文献１のものは、両床材の雌雄接合により相接する部位の一部が軟質合成樹脂材で形成された構成とされている。また特許文献２のものは、軟質合成樹脂材やパラフィンなどによる薄膜が雌雄接合により相接する部位の一部に配設されている。
【０００４】
これらの床材によれば、実接合部において軟質合成樹脂材などの軟質な材料が介在しているため、床材間の密着度が高まり接合強度は向上する。接合強度が向上するため、床材の板状基材である木質材の乾燥収縮や湿潤膨張が発生しても目隙は発生しにくい。また、木質材どうしの擦れ合いによる床鳴り（踏み鳴り）も発生しにくい。
【先行技術文献】
【特許文献】
【０００５】
【特許文献１】特開２０１１−２６８１９号公報
【特許文献２】特開平１１−１４１１０９号公報
【発明の概要】
【発明が解決しようとする課題】
【０００６】
しかしながら、これらの文献のものは、木質材の実や実近傍に、木質材に代えて、あるいは付加して軟質合成樹脂材などの他部材を取り付けなければならないため、製造の手間がかかり、製造コストが上がるおそれがある。また、取り付けた軟質合成樹脂材が経年により外れたり、擦り減ったりする可能性があり、それにより接合強度が低下したり、床鳴りが発生したりするおそれもある。
【０００７】
本発明は、このような事情を考慮して提案されたもので、その目的は、軟質合成樹脂材などの他部材を取り付けることなく、接合強度を高められ、さらに床鳴りの発生を少なくできる床材を提供することにある。
【課題を解決するための手段】
【０００８】
上記目的を達成するために、本発明の床材は、すくなくとも１方向における一側端面に突条よりなる雄実を有し、他側端面に凹溝よりなる雌実を有した床材において、前記雄実の厚さ寸法が前記雌実の溝幅寸法よりも大とされ、かつ前記雄実の先端面から内側に向けて、床材底面に略平行なスリットが形成されていることを特徴とする。
【発明の効果】
【０００９】
本発明の床材は上述した構成とされているため、軟質合成樹脂材などの他部材を取り付けることなく、接合強度を高めることができ、さらに床鳴りの発生を少なくすることができる。
【図面の簡単な説明】
【００１０】
【図１】本発明の一実施形態に係る床材の説明図である。（ａ）は同床材の概略平面図、（ｂ）は（ａ）のＡ−Ａ線矢視一部省略拡大断面図である。
【図２】床材どうしの実接合部の縦断面図である。
【発明を実施するための形態】
【００１１】
以下に、本発明の実施の形態について、添付図面を参照しながら説明する。まず、床材１の基本構成について説明する。なお、以下の説明では、床材１を施工した状態を基準として上下方向等を規定している。
【００１２】
本床材１は、すくなくとも１方向における一側端面に突条よりなる雄実１０を有し、他側端面に凹溝よりなる雌実２０を有している。この床材１では、雄実１０の厚さ寸法が雌実２０の溝幅寸法よりも大とされ、かつ雄実１０の先端面１１から内側に向けて、床材底面に略平行なスリット１２が形成されている（図１および図２参照）。
ついで、本床材の詳細について説明する。
【００１３】
本床材１は、図１（ａ）に示すように、略長方形の平板状とされ、図１（ｂ）に示すように、板状基材２の表面に表面材３を貼りつけて構成されている。床材１の平面寸法は、例えば３０３ｍｍ×１８１８ｍｍ、厚さ寸法は１２ｍｍとされるが、これには限られない。
【００１４】
板状基材２としては、木質系基材で形成されたものが挙げられる。木質系材料としては例えば、合板やＬＶＬ（単板積層材）などの木質積層板、ＭＤＦ（中密度繊維板）やＨＤＦ（高密度繊維板）、パーティクルボード等の木質ボードが挙げられる。また、合成樹脂系材料など木質系材料以外の材料で形成された板状基材であってもよい。
【００１５】
表面材３としては、天然木材（銘木）を加工等して形成された突板などの単板や、木目柄等の種々の柄（模様）が印刷された化粧印刷紙やオレフィン系などの合成樹脂系フィルム、石材、ガラス材が挙げられる。
【００１６】
板状基材２の長手方向、短手方向における各両側端面には、一方に雄実１０、他方に雌実２０が形成されている（図１（ａ）（ｂ）参照）。なお、図１（ｂ）の縦断面図には、長手方向の両側端部について図示したが、両方向について雄実１０、雌実２０が長手方向の側端部のものともに同形状であるため、短手方向の側端部を含む縦断面図の図示は省略する。
【００１７】
雄実１０は、突条とされ、その上側には上側凹条１５が形成され、下側には下側凹条１６が形成されている。上側凹条１５は、さらに内方に凹んだ釘打ち用凹部１５ａを有しており、その釘打ち用凹部ａの上側に庇部１５ｂが形成されている。
【００１８】
この上側凹条１５の空間に接する雄実１０の上面には、上述したように、上方に開口した凹所１４が形成されている。雄実１０の形状は、図１（ｂ）に示すように、上面が、凹所１４よりも先端側においては底面に略平行とされ、下面は基端部１７より先端側に向け上り傾斜しており、厚さ方向において先細り形状とされている。
【００１９】
また上述したように、雄実１０には、その先端面１１から内側に向けてスリット１２が形成されている。スリット１２は、床材１の底面に略平行とされ、図１（ｂ）に示すように、複数のスリット１２が略等間隔に形成されていることが望ましい。また、これらスリット１２により複数の薄肉片１３が形成されている。このスリット１２は、雄実１０の下側の基端部１７よりも内方側に延びていることが望ましい。
【００２０】
一方、雌実２０は、溝状に形成され、雄実１０の外形と略同形状とされるが、上述したように、雌実２０の溝幅寸法は雄実１０の厚さ寸法よりも小とされる。図例のものでは、具体的には、溝底側の溝幅寸法Ｗ１が雄実１０の先端側の厚みＴ１よりも小とされ（Ｗ１＜Ｔ１）、かつ溝開口側の溝幅寸法Ｗ２が雄実１０の基端部１７側の厚みＴ２よりも小とされている（Ｗ２＜Ｔ２）。なお、上記２つの不等式関係のうち一方のみが成り立つ場合も、雌実２０の溝幅寸法は雄実１０の厚さ寸法よりも小である、とする。
【００２１】
また、雄実１０を雌実２０に挿入しやすくするために、雄実１０は先細り形状とし、雌実２０は溝開口を溝底よりも溝幅を拡げた形状としている。よって上記不等式の寸法関係にかかわらず、溝開口側の溝幅寸法Ｗ２は雄実の先端部側の厚みＴ１よりも大とすることが当然に望ましい。
【００２２】
また、雌実２０の上側には上側突出条２１が形成され、下側には下側突出条２３が形成されている。上側突出条２１の先端側の下面には、雄実１０の凹所１４に係合し得る形状の下向き突出片２２が形成されている。
【００２３】
この床材１は、図２に示すように、床下地７上において隣接する床材１と雌雄接合する。具体的には、雄実１０が雌実２０に嵌合し、上側凹条１５側（庇部１５ｂ）の側端面１５ｃと上側突出条２１の先端面２１ａとが突き合わせ状態となり、かつ下側凹条１６側の側端面１６ａと下側突出条２３の先端面２３ａとが突き合わせ状態となる。なお、表面側では、目隙ができないように上側凹条１５側の側端面１５ｃと上側突出条２１の先端面２１ａとが突き合わせ状態となることが望ましいが、底面側では、図２に示すように隙間ができてもよい。さらに、雌雄接合の状態では、図２に示すように雌実２０の下向き突出片２２が雄実１０の凹所１４に係合する。
【００２４】
雌実２０の溝開口の溝幅が雄実１０の先端厚よりも大（Ｗ１＞Ｔ２）であるため、雄実１０の溝開口への挿入はしやすい。しかし、上述した寸法関係（Ｗ１＜Ｔ１、Ｗ２＜Ｔ２）であるため、雌雄の結合を進めるにしたがい雄実１０は雌実２０の上下の溝壁より押圧されるようになる。
【００２５】
しかしながら、雄実１０にはスリット１２が形成されているため、上側突出条２１、下側突出条２３の上下からの押圧によりスリット１２が狭まっていき、雄実１０は上下方向に収縮し、厚みが減少し、図２に示すように雌雄接合する。
【００２６】
このように、雄実１０は雌実２０に対し圧入した状態となるため、雄実１０の復帰力もあいまって接合力が増すこととなる。また、スリット１２が複数形成されているため、薄肉片１３は変動、変形しやすく、よって雄実１０は厚さ方向に収縮しやすくなる。そのため接合操作がしにくくなることを回避できる。また、スリット１２は雄実１０の下側の基端部１７よりも内方に延びているため、薄肉片１３は雄実１０の全突出長分に形成される。そのため、雄実１０は全突出長分にわたり収縮しやすくなる。
【００２７】
また、雌実２０の下向き突出片２２が雄実１０の凹所１４に係合した状態で雌雄接合しているため、床材１間の接合力はさらに向上する。
【００２８】
また、床材１間の接合には接着剤を用いることが望ましい。例えば雄実１０の上面や先端面１１や、雌実２０の溝底などにあらかじめ接着剤を塗布してから、床材１間の接合操作をすればよい。雄実１０の先端面１１には複数のスリット１２による凹凸が形成されているため、接着剤がスリット１２に入り込むこととなり、アンカー効果により接着強度が上がり、床材１間の接合力はさらに向上する。
【００２９】
このように、本床材１によれば、密着性のよい軟質合成樹脂材などの他部材を用いることなく、床材１間の接合力を向上させることができる。したがって、雌雄接合のずれが発生しにくくなるため、板状基材２の木質面どうしの擦れ合いによる床鳴りの発生を少なくすることもできる。
【符号の説明】
【００３０】
１          床材
１０        雄実
１１        先端面
１２        スリット
１４        凹所
２０        雌実
２１        上側突出条
【図１】
2020084655.tif 000003
【図２】
2020084655.tif 000004